(57)【要約】      （修正有）【課題】果物、野菜、花草を栽培したり庭園を手入れをしたりするとき、作物の幹や枝が所望姿勢を維持するように支えを立て、支えに、当該作物の幹または枝を結束するときに使用する農業用結束機を提供する。【解決手段】テープ牽引針を作動させ、テープ牽引針が結束用テープに結着されているときは、作動レバー４の加圧動作がそれ以上なされないようにし、結束用テープを引き出す段階で誤作動がないようにし、結束用鉄針を補充するために、鉄針包みを鉄針供給台３に装填するとき、逆に投入することが防止され、鉄針プッシュバーを鉄針供給台から分離するとき、鉄針プッシュバーが任意に脱出して紛失されることが生じないように構成された農業用結束機である。【選択図】図１
2019126332.tif 000002
【特許請求の範囲】
【請求項１】
鉄針束を収納する鉄針供給台と、前記鉄針束を鉄針出口側に弾力的に加圧する鉄針プッシュバーと、前記鉄針束から、１つの鉄針を、前記鉄針出口側に押し出す鉄針押し出し板と、テープリール収容室から引き出された結束用テープが供給されるテープ排出室と、圧着突起と、前記結束用テープを切断する切断ブレードと、を具備する結束機本体と、
前記結束機本体に、回転軸を中心に回転され、下降／上昇されるように結合される昇降作動体と、
前記結束機本体と前記昇降作動体とに連結され、押されることにより、前記昇降作動体を下降させる作動レバーと、
前記昇降作動体に、上昇方向の弾性力を提供する復帰スプリングと、
前記昇降作動体に、前記鉄針出口が対向するように位置し、前記結束用鉄針の開放部を曲折成形する鉄針成形器と、
結束用テープを引き出すテープ牽引針を具備し、内向回転及び外向回転が自在な牽引針板と、前記牽引針板が内向回転する方向に弾性力を提供する針板加圧スプリングと、前記昇降作動体が一次下降するとき、前記圧着突起と接触して上向きになりながら、前記テープ牽引針が、前記結束用テープに通されるように、前記牽引針板の内向回転を許容する作動板と、前記作動板に、下向きになる方向の弾性力を加えるスプリングと、前記結束用テープを、前記鉄針成形器側に案内するテープ加圧突片とを備え、前記昇降作動体に位置するテープ牽引装置と、
前記昇降作動体が一次下降するとき、前記作動板に設けられた係止溝に掛かり、前記テープ牽引針が、前記結束用テープに通された状態で、前記作動レバーの押されることを防止する制動バーと、を具備する農業用結束機。
【請求項２】
前記制動バーは、鋼線を渦巻き線状に巻いて形成され、前記テープ牽引装置に支持される巻き線部と、前記巻き線部の両端部から、それぞれ前記作動板の前記係止溝側、及び前記テープ加圧突片側に延長された上側突出棒及び下側突出棒と、を具備することを特徴とする請求項１に記載の農業用結束機。
【請求項３】
前記鉄針供給台の鉄針束投入口側内面に、前記鉄針束投入部の天井部から底に向けて突出する鉄針案内突片が形成され、
前記鉄針案内突片の側面と底との間で、前記結束用鉄針の一側突出ロッドが通過する間隔部が形成されたことを特徴とする請求項１または２に記載の農業用結束機。
【請求項４】
前記鉄針投入部の一側面には、前記鉄針案内突片の内側端において、前記鉄針プッシュバーの長さに該当する長さほど開放された側面開放部が形成されたことを特徴とする請求項３に記載の農業用結束機。
【発明の詳細な説明】
【技術分野】
【０００１】
本発明は、果物、野菜、花草を栽培したり庭園を手入れしたりするとき、作物の幹や枝が所望姿勢を維持するように支えを立て、支えに当該作物の幹または枝を結束するときに使用する農業用結束機に関する。
【背景技術】
【０００２】
従来の農業用結束機のうちには、本件出願人が発明して特許登録した特許文献１が使用されている。
【０００３】
前記農業用結束機を参照し、従来の農業用結束機について説明すれば、該農業用結束機の結束機本体には、「コ」型になる結束用鉄針を、その側面の面部が密着するように接着剤で接着した鉄針束を装填する鉄針供給台が設けられる。該鉄針供給台の先端部に、鉄針出口が形成され、反対側に、鉄針束を鉄針出口側へ押しやる鉄針プッシュバーが装置される。該鉄針プッシュバーの連結棒にコイルスプリングが装置され、該連結棒の外側端には、ストッパが具備されている。
【０００４】
該鉄針供給台は、結束機本体の支持軸に支持されて先端部が、上下方向で一定角度昇降する。該鉄針供給台の先端部に、鉄針出口が形成されている。該結束機本体底面には、結束用テープ供給台が形成される。該鉄針出口の先端部に、テープ排出室が形成されている。結束用テープ供給台には、テープ供給路と、結束用テープリルを収容するテープ収容室とが形成されている。該鉄針出口と該テープ排出室との間には、切断ブレードが装置され、該鉄針出口底面には、該結束機本体に付着して鉄針出口側に鉄針を一つずつ押し出す鉄針押し出し板が設けられている。該結束機本体上面には、昇降作動体が配置される。該昇降作動体の下端部は、該結束機本体の支持軸に連結される。昇降作動体先端部に、テープ牽引針を具備するテープ牽引装置が配置されている。昇降作動体先端部内側には、該結束用鉄針出口と対面するところに、該結束用鉄針の開放部両端を内向曲折する曲折溝を有した鉄針成形器が付着される。弾発スプリングと作動レバーとにより、該昇降作動体の先端部を、テープ出口に接近／離隔させることができる。
【０００５】
また、該テープ牽引装置には、テープ牽引針の針板を作動させる作動板が装置され、該昇降作動体が該結束機本体のテープ出口側に移動し、該結束機本体の作動突起に接触すれば、該作動板が一定距離を移動し、該テープ牽引針をテープ出口側に回転させ、該結束用テープの端部に通す１段階圧着が起こり、このとき、該作動レバーに加えられる圧力を解除すれば、該昇降作動体が復帰しながら、該テープ牽引針に通された該結束用テープを引き出すことになる。
【０００６】
次に、引き出されたテープを作物の幹に包めた後、作動レバーをさらに押せば、該作動板が、該牽引針はテープから分離させ、鉄針圧着板が鉄針一つを押し出し、作物の幹を包めた結束環の両端部を締結し、該結束環の締結部外側を切断して結束を仕上げるようになっている。
【０００７】
しかし、テープを引き出すために、昇降作動体を下降させるとき、作動板下端が圧着突起に接触すれば、作動板が一定距離を移動し、テープ牽引針をテープ出口側に回転させ、結束用テープの露出部上端を通し、牽引針が結束用テープに通されれば、作動レバーに加えられる圧力を一応解除し、昇降作動体を外向させなければならない。ところで、ユーザがそれを忘れ、該昇降作動体を外向させず、作動レバーをもう一度押せば、作動レバーが作動し、結束用テープに通された結束針を外向させ、テープと牽引針とが分離される。それにもかかわらず、鉄針押し出し板が鉄針を押し出し、終端を曲折させる作業を行うので、結束用テープが結束環を作らないまま、鉄針だけ曲折される状態になる誤動作が起きるので、それが故障につながり、結束機を修理しなければならないことにもなる。
【０００８】
また、鉄針束を装填する鉄針供給台の投入口は、四角形溝に開放されており、鉄針の開放部が上向きになるか、あるいは下向きになるかということにかかわりなく、投入が可能であるので、ユーザは、鉄針束を、開放部が下向き状態で鉄針供給台に投入することもある。それを知らないまま作動レバーを作動させ、鉄針がテープ結束部を締結することができないことにもなる。また、鉄針束を押しやる鉄針プッシュバーには、連結棒とコイルスプリングとが装置されており、連結棒の外側端部にストッパが形成され、鉄針プッシュバーが鉄針供給台に装置される。消耗された鉄針束を補充するために、鉄針プッシュバーのストッパを係止爪で取り去れば、スプリングの弾力で鉄針プッシュバーが飛び出すために、直ちに手で取らなければ、投入口から飛び出し、結束機本体の外部に落ちるので、探し難くなるという問題が生じ、次の作業を行うことができない状態になってしまう。
【先行技術文献】
【特許文献】
【０００９】
【特許文献１】韓国特許第１０−１５０９６２３号
【発明の概要】
【発明が解決しようとする課題】
【００１０】
本発明は、前記問題を解決するために案出されたものである。
【課題を解決するための手段】
【００１１】
本発明の一側面による農業用結束機は、鉄針束を収納する鉄針供給台と、前記鉄針束を鉄針出口側に弾力的に加圧する鉄針プッシュバーと、前記鉄針束から、１つの鉄針を、前記鉄針出口側に押し出す鉄針押し出し板と、テープリール収容室から引き出された結束用テープが供給されるテープ排出室と、圧着突起と、前記結束用テープを切断する切断ブレードと、を具備する結束機本体；前記結束機本体に、回転軸を中心に回転され、下降／上昇されるように結合される昇降作動体；前記結束機本体と前記昇降作動体とに連結され、押されることにより、前記昇降作動体を下降させる作動レバー；前記昇降作動体に、上昇方向の弾性力を提供する復帰スプリング；前記昇降作動体に、前記鉄針出口が対向するように位置し、前記結束用鉄針の開放部を曲折成形する鉄針成形器；結束用テープを引き出すテープ牽引針を具備し、内向回転及び外向回転が自在な牽引針板と、前記牽引針板が内向回転する方向に弾性力を提供する針板加圧スプリングと、前記昇降作動体が一次下降するとき、前記圧着突起と接触して上向きになりながら、前記テープ牽引針が、前記結束用テープに通されるように、前記牽引針板の内向回転を許容する作動板と、前記作動板に、下向きになる方向の弾性力を加えるスプリングと、前記結束用テープを、前記鉄針成形器側に案内するテープ加圧突片とを備え、前記昇降作動体に位置するテープ牽引装置；前記昇降作動体が一次下降するとき、前記作動板に設けられた係止溝に掛かり、前記テープ牽引針が、前記結束用テープに通された状態で、前記作動レバーの押されることを防止する制動バー；を具備する。
【００１２】
前記制動バーは、鋼線を渦巻き線状に巻いて形成され、前記テープ牽引装置に支持される巻き線部と、前記巻き線部の両端部から、それぞれ前記作動板の前記係止溝側、及び前記テープ加圧突側に延長された上側突出棒及び下側突出棒と、を具備することができる。
【００１３】
前記鉄針供給台の鉄針束投入口側内面に、前記鉄針束投入部の天井部から底に向けて突出する鉄針案内突片が形成され、前記鉄針案内突片の側面と底との間で、前記結束用鉄針の一側突出ロッドが通過する間隔部が形成される。
【００１４】
前記鉄針投入部の一側面には、前記鉄針案内突片の内側端において、前記鉄針プッシュバーの長さに該当する長さほど開放された側面開放部が形成される。
【図面の簡単な説明】
【００１５】
【図１】本発明の外観正面図である。
【図２】本発明の制動バー部分拡大図である。
【図３】本発明のテープ牽引装置部分の分解斜視図である。
【図４】本発明のテープ牽引針がテープに通された例示図である。
【図５】図４の拡大図である。
【図６】図４のテープを引き出す例示図である。
【図７】図６の拡大図である。
【図８】本発明の結束環を切断する例示図である。
【図９】図８の拡大図である。
【図１０】結束環が切断された例示図である。
【図１１】鉄針供給台の投入口例示図である。
【図１２】プッシュバーの部分例示図である。
【発明を実施するための形態】
【００１６】
図１は、本発明の外観正面図である。図２は、本発明の制動バー部分拡大図である。図３は、本発明のテープ牽引装置部分の分解斜視図である。図４は、本発明のテープ牽引針がテープに通された例示図である。図５は、図４の拡大図である。図６は、図４のテープを引き出す例示図である。図７は、図６の拡大図である。図８は、本発明の結束環を切断する例示図である。図９は、図８の拡大図である。図１０は、結束環が切断された例示図である。図１１は、鉄針供給台の投入口例示図である。図１２は、プッシュバーの部分例示図である。図１ないし図１２を参照し、農業用結束機の実施形態について説明する。
【００１７】
結束機本体１上側に、鉄針供給台３が位置する。鉄針供給台３は、その内部に、いくもの「コ」字形の結束用鉄針１０ａを、その側面部が互いに密着するように、接着剤で接着した鉄針束１０を装填する。鉄針供給台３の先端には、１つの結束用鉄針１０ａを上部に案内する鉄針出口３ａが形成される。鉄針供給台３の鉄針出口３ａの反対側には、鉄針束１０を、鉄針出口３ａ側に押しやる鉄針プッシュバー１１が設けられる。鉄針プッシュバー１１には、連結棒１１ａが連結される。コイルスプリング１１ｂは、鉄針プッシュバー１１を鉄針出口３ａ側に押す。連結棒１１ａの端部には、ストッパ１１ｃが設けられる。
【００１８】
鉄針出口３ａと対向する結束機本体１の下側に、鉄針押し出し板１２が装置される。鉄針押し出し板１２は、鉄針出口３ａと対面するように形成された案内孔３０ａに出入りしながら、１つの結束用鉄針１０ａを鉄針出口３ａ側に押し出す。
【００１９】
鉄針供給台３と並ぶように、結束機本体１の下側に、結束用テープ供給台２が位置する。結束用テープ供給台２の内部に、結束用テープ２０を供給するテープ供給路２ａが形成される。テープ供給路２ａは、結束機本体１後尾部に装置され、結束用テープリル（図示せず）を収容するテープリール収容室２ｂと連通される。テープ供給路２ａの先端部に、結束用テープ排出口２ｃが形成される。テープ供給路２ａは、結束用テープ排出口２ｃを介して、鉄針供給台３の先端部に形成されたテープ排出室８と連通される。結束用テープ２０は、テープリール収容室２ｂから解かれ始まり、テープ供給路２ａを経て、結束用テープ排出口２ｃを介して、テープ排出室８に供給される。
【００２０】
結束機本体１の上側には、昇降作動体５が位置する。昇降作動体５は、回転軸５ａを介して、結束機本体１に結合される。作動レバー４は、結束機本体１及び昇降作動体５に連結され、押されることにより、昇降作動体５を下降させる。復帰スプリング５０１は、昇降作動体５に、上昇方向の弾性力を提供する。作動レバー４を押せば、昇降作動体５は、回転軸５ａを中心に回転し、図４に図示されているように下降され、作動レバー４を押す力を解除すれば、復帰スプリング５０１により、図１に図示されているように上昇され、本来位置に復帰される。昇降作動体５の先端部には、テープ牽引針６０１が装置されたテープ牽引装置６が配置される。テープ牽引装置６の鉄針出口３ａと対向する位置に、結束鉄針１０ａの開放部を曲折成形する鉄針成形器５ｂが配置される。
【００２１】
テープ牽引装置６は、結束用テープ２０を引き出すテープ牽引針６０１が、下端に形成された牽引針板６００と、牽引針板６００に弾性力を付与する針板加圧スプリング６０２を具備する。牽引針板６００は、内向回転及び外向回転が自在である。針板加圧スプリング６０２は、牽引針板６００に、内向回転する方向に弾性力を提供する。針板加圧スプリング６０２は、螺旋状に巻かれた巻き線部と、巻き線部の一端から延長された支持部６０２ａと、巻き線部の他端から延長された作動部６０２ｂと、を具備する。作動部６０２ｂは、支持部６０２ａより長く延長され、終端に係止部６０２ｃが設けられる。針板加圧スプリング６０２の巻き線部は、テープ牽引装置６内部６ａに形成されたスプリング支持棒６０６に嵌め込まれ、支持部６０２ａがテープ牽引装置６の内壁に密着され、作動部６０２ｂは、牽引針６０１に結合される。
【００２２】
また、テープ牽引装置６内部６ａには、設置棒６０７が設けられる。スプリング６０８に弾発される作動板６０３、誘導板６０４、牽引針板６００は、設置棒６０７に順に設けられる。テープ牽引装置６の下端部凹み溝６ｂに、スプリング６０５ｃを具備するテープ加圧突片６０５が装着される。
【００２３】
鉄針供給台３の先端部に形成されたテープ排出室８と鉄針出口３ａとの間には、結束機本体１の先端部に下端が固定されたテープ切断ブレード７が上向きに突出するように配置される。結束機本体１の先端部には、テープ牽引装置６の作動板６０３下端と接触する圧着突起１００が形成される。
【００２４】
そのような構成により、作動レバー４を押せば、結束用テープ供給台２に収容された結束用テープ２０が、テープ牽引針６０１によって引き出され、結束用環２０ａに成形され、結束用環２０ａで作物と支えとを束ね、環の両端を鉄針１０ａで締結し、締結部外側をテープ切断ブレード７で切断する一連の作業が遂行される。
【００２５】
作動板６０３は、昇降作動体５に装置されたテープ牽引装置６のテープ牽引針６０１を作動させる。作動板６０３は、昇降作動体５が一次下降するとき、圧着突起１００と接触して上向き移動されながら、テープ牽引針６０１が結束用テープ２０に通されるように、牽引針板６００の内向回転を許容する。スプリング６０８は、作動板６０３に、下向き方向の弾性力を加える。テープ加圧突片６０５は、結束用テープ２０を鉄針成形器５ｂ側に案内する。
【００２６】
作動板６０３には、係止溝６０３ｂが設けられる。係止溝６０３ｂは、作動板６０３のテープ牽引装置６の外部に露出された露出部にも設けられる。テープ牽引装置６の外側表面には、作動板６０３の係止溝６０３ｂ側に投入するように、制動バー７０が装置される。制動バー７０は、昇降作動体５が一次下降するとき、作動板６０３に設けられた係止溝６０３ｂに掛かり、テープ牽引針６０１が結束用テープ２０に通された状態で、作動レバー４の押されることを防止する。すなわち、作動板６０３が一次内向（上昇）すれば、係止溝６０３ｂに制動バー７０が掛かるようにし、牽引針６０１が結束用テープの上端部に通された状態では、作動レバー４が追加して下降されずに制動されるように構成する。
【００２７】
図２及び図３を参照すれば、制動バー７０は、鋼線を渦巻き線状に巻いて形成される巻き線部７０ａと、巻き線部７０ａの両端部からそれぞれ延長された上側突出棒７１と、下側突出棒７２とを具備することができる。巻き線部７０ａは、テープ牽引装置６の表面支持棒７３に支持される。上側突出棒７１と下側突出棒７２は、テープ牽引装置６の表面から作動板６０３側に曲折され、上側突出棒７１は、作動板６０３の係止溝６０３ｂ側に投入され、下側突出棒７２は、テープ加圧突片６０５側に投入される。
【００２８】
図４及び図５を参照すれば、作動レバー４を加圧すれば、昇降作動体５が、回転軸５ａを中心に結束機本体１に対して回転されて一次下降される。昇降作動体５に装置されたテープ牽引装置６の作動板６０３の下端が、結束機本体１の先端部に位置した圧着突起１００に接触する。それにより、テープ牽引装置６の作動板６０３が一次内向（上向き）移動すると共に、針板加圧スプリング６０２に装填されたテープ牽引針６０１が、テープ排出室８に到着した結束用テープ２０の上端に回転（内向回転）移動し、テープ上端に通される。
【００２９】
このとき、テープ牽引装置６の表面から作動板６０３の係止溝側６０３ｂに突出された制動バー７０が、係止溝６０３ｂに掛かり、作動板６０３の上向き移動を防ぐことになるので、作動レバー４を続けて加圧しても、昇降作動体５は、それ以上下降しない状態になる。
【００３０】
それにより、ユーザは、作動レバー４をそれ以上加圧せず、作動レバー４に加えられる圧力を中止するので、図６及び図７に図示されているように、昇降作動体５は、上向き復帰（一次上昇）し、テープ牽引針６０１に通された結束テープ２０を引っ張り出すことができる。結束テープ２０が引っ張られれば、テープ牽引針６０１は、針板加圧スプリング６０２の力を受け、１段階内向回転するので、制動バー７０は、内向する針板加圧スプリング６０２の力を受け、テープ牽引針６０１と共に内向回転し、このとき、結束用テープ２０上端は、テープ牽引針６０１とテープ加圧突片６０５とに案内され、鉄針成形器５ｂ側に移動し、テープ切断ブレード７上部側に位置することになる。
【００３１】
このとき、露出された結束用テープ２０に、作物の幹と支えとを接触させ、結束空間側に押し、結束用環２０ａを作る。さらに、図８及び図９に図示されているように、作動レバー４を押し、昇降作動体５を二次下降させれば、昇降作動体５のテープ牽引装置６に装置された作動板６０３の下端が、結束機本体１の圧着突起１００に接触し、上向き（二次内向）になりながら、誘導板６０４を動かし、テープ牽引針６０１を原位置に外向回転させる。鉄針圧縮板１２が、結束用鉄針１０ａの一つを鉄針出口３ａに押し、結束用鉄針１０ａが、結束用環２０ａの結合部に供給される。結束用鉄針１０ａが結合部を貫通し、鉄針成形器５ｂの溝によって曲折されることにより、結束環結合部は、結束用鉄針１０ａによって結束される。結束部外側は、切断ブレード７と接触して切断されるので、結束が完了する。作動レバー４を離せば、テープ加圧突片６０５の復帰により、制動バー７０の下側突出棒７２が復帰しながら、制動バー７０が図１に図示された位置に復帰し、次の作動に備える。従って、該結束機は、次の結束作業を続けることができる状態になる。
【００３２】
このように、制動バー７０を採用することにより、結束作業時、作動レバー４の加圧誤動作が防止されるので、さらに能率的であって効果的な作業が可能になる。また、制動バー７０は、巻き線部７０ａから、上側突出棒７１と下側突出棒７２とがそれぞれ延長され、巻き線部７０ａは、支持棒７３に支持される。上側突出棒７１が作動板６０３の係止溝６０３ｂに接触し、下側突出棒７２は、テープ加圧突片６０５に接触するので、テープ加圧突片６０５が復帰すれば、上側突出棒７１を本来位置に復帰させ、次の作動に備えるようにする利点がある。
【００３３】
図１１及び図１２を参照すれば、鉄針供給台３の鉄針束投入部３０側の内面に、鉄針束投入部３０の天井部から底に向けて一定長突出する鉄針案内突片３１が設けられる。鉄針案内突片３１は、その側面と底との間に、「コ」字形の結束用鉄針１０ａの一側突出ロッドが通過する間隔部３２，３２ａを形成し、鉄針１０ａの開放部が底側に向かうように、鉄針供給台３に投入されることを防止する。鉄針束投入部３０の一側面には、鉄針案内突片３１の内側端において、鉄針プッシュバー１１の長さに該当する長さほど開放された側面開放部３３が設けられる。
【００３４】
鉄針案内突片３１が、鉄針供給台３の鉄針束投入口３０の天井部から底側に一定長突出されているので、結束用鉄針１０ａの開放部が底側に向かう状態では、鉄針束投入口３０に挿入されず、結束用鉄針１０ａの開放部が上向き、すなわち、天井部に向かうときにのみ、鉄針束投入口３０に挿入可能であり、結束用鉄心１０ａの誤挿入が防止される。
【００３５】
また、鉄針案内突片３１は、鉄針束投入口３０の両側壁から一側壁側に偏っているので、鉄針プッシュバー１１を鉄針束投入口３０に挿入するとき、連結棒１１ａが妨害されない。結束用鉄針１０ａを補充するために、鉄針プッシュバー１１を分離するときは、鉄針プッシュバー１１と連結棒１１ａとが連結される連結棒１１ａの段掛かりに鉄針案内突片３１の内面が接触することになるので、コイルスプリング１１ｂの弾力を受け、鉄針プッシュバー１１が外向するとしても、鉄針案内突片３１で阻止されて離脱が中止され、その地点で、側面開放部３３に鉄針プッシュバー１１を引き出すことができるので、鉄針プッシュバー１１を紛失する心配がなくなるという利点がある。
【００３６】
本発明は、図面に図示された実施形態を参照して説明されたが、それらは、例示的なものに過ぎず、当該技術が属する分野で当業者であるならば、それらから多様な変形、及び均等な他の実施形態が可能であるという点を理解するであろう。従って、本発明の真の技術的保護範囲は、特許請求の範囲によって決められなければならないのである。
【産業上の利用可能性】
【００３７】
本発明の農業用結束機は、例えば、農作物生産関連の技術分野に効果的に適用可能である。
【符号の説明】
【００３８】
１  結束基本体
２  結束用テープ供給台
３  鉄針供給台
４  作動レバー
５  昇降作動体
６  テープ牽引装置
【図１】
2019126332.tif 000003
【図２】
2019126332.tif 000004
【図３】
2019126332.tif 000005
【図４】
2019126332.tif 000006
【図５】
2019126332.tif 000007
【図６】
2019126332.tif 000008
【図７】
2019126332.tif 000009
【図８】
2019126332.tif 000010
【図９】
2019126332.tif 000011
【図１０】
2019126332.tif 000012
【図１１】
2019126332.tif 000013
【図１２】
2019126332.tif 000014